(57)【要約】【課題】種々の形状・寸法の照明ランプを取り付けることのできる共用型の照明器具本体装置の提供。【解決手段】天井埋め込み型照明器具本体装置であって、椀状の傘部材と、その側方に取り付けられるランプソケット収納枠部材とを含み、枠部材は、本体部分と該部分の頂壁から傘部材底部に沿って伸びる延長部を有し、延長部の先端と係合する手段が傘部材の底部に備えられ、係合したとき両者を共に貫通する孔が備えられ、枠部材は、ランプソケット固定板を内部に備え、固定板は、枠部材の頂壁内面に接する基部と立ち上がった固定部とを有し、基部は貫通孔を備え、枠部材は、基部と接する頂壁の内面に固定板を傘部材の中心からの距離を異にする複数位置にネジ止めできるよう、各位置に基部があるときに基部の貫通孔と一致する対応した貫通孔を備え、そして固定部は、ランプソケットの固定用ネジ穴に対応する貫通孔を有していることを特徴とする装置。【選択図】　図６
0003098590.tif 000002
【実用新案登録請求の範囲】
【請求項１】
天井埋め込み型照明器具本体装置であって、椀状の傘部材（２）と、該傘部材（２）の側方に取り付けることのできるランプソケット収納枠部材（３）とを含み、該ランプソケット収納枠部材（３）は、該部材の本体部分（３ａ）と該本体部分（３ａ）の頂壁（３ｔ）から該傘部材（２）の底部（２ａ）に沿ってその中央部へと伸びる延長部（３ｂ）を有し、該延長部（３ｂ）の先端の少なくとも一部と係合する係合手段（５）が該傘部材（２）の底部（２ｂ）に備えられているとともに、該係合手段（５）で係合したとき該先端と該本体部分（３ａ）との間において該延長部（３ｂ）と該傘部材（２）の底部（２ａ）とを共通に貫通する孔（６）が該延長部（３ｂ）及び該底部に備えられており、該傘部材（２）は該ランプソケット収納枠部材（３）の本体部分の前部を受け入れる開口（１２）を備えており、該ランプソケット収納枠部材（３）は、ランプソケット（２２）を固定するための固定板（２５）をその内部に備え、該固定板（２５）は、該ランプソケット収納枠部材（３）の頂壁（３ｔ）の内面に接する基部（２６）と該基部（２６）から立ち上がったランプソケット固定部（２７）とを有し、該基部（２６）は貫通孔（３１）を備え、該ランプソケット収納枠部材（３）は、該固定板（２５）の基部（２６）と接する頂壁（３ｔ）の内面に該固定板（２５）の基部（２６）を該傘部材（２）の中心からの距離を異にする複数の位置にネジ止めできるよう、それら各位置に該基部（２６）があるときに該基部（２６）の貫通孔（３１）と一致する対応した貫通孔（８）を備えており、そして該ランプソケット固定板（２５）の固定部（２７）は、ランプソケットの固定用ネジ穴に対応する貫通孔（３３）を有していることを特徴とする装置。
【請求項２】
該頂壁（３ｔ）と該基部（２６）とが、対応する係合手段をそれぞれ備えており、該頂壁（３ｔ）側の係合手段が、該複数の位置の各々に該固定板（２５）が位置するときに該固定板（２５）の基部（２６）に存する対応する係合手段と係合するように複数配置されていることを特徴とする、請求項１の装置。
【請求項３】
該固定板（２５）の該固定部（２７）が、該傘部材（２）の中心から遠ざかる方向に傾斜して該基部（２７）から立ち上がっており、該固定部（２７）と該基部（２６）とのなす角が７０〜８５°である、請求項１又は２の装置。
【請求項４】
該基部（２６）と該頂壁（３ｔ）との係合手段が、一方の突起と他方の陥凹又は孔とから構成されているものである、請求項１ないし３の何れかの装置。
【考案の詳細な説明】
【０００１】
【考案の属する技術分野】
本考案は、汎用型の埋め込み式照明器具本体装置に関し、より詳しくは、種々のサイズのランプ及びランプソケットの取り付けが可能な汎用型の埋め込み式照明器具本体装置、特に天井埋め込み式照明器具本体装置に関する。
【０００２】
【従来の技術及び考案が解決しようとする課題】
従来、天井埋め込み式照明器具のための本体装置の作製に際しては、ランプの形状・寸法の規格が種々あるため、それらに個々に合わせた構造設計が、相互に無関係に行われてきた。
【０００３】
しかしながら、異なった設計による複数の機種の照明器具本体装置を提供することは、それぞれの装置に別個に要する設計労力や、製造ラインの複数化による非効率性という問題があり、それらは結局のところ製品コストを押し上げることとなり、産業競争力の点から好ましいものではなかった。
【０００４】
本考案は、上記の問題を解決するため、種々の形状・寸法規格の照明ランプ及びそのためのランプソケットを取り付けることのできる共用型の照明器具本体装置を提供することを目的とする。
【０００５】
【課題を解決するための手段】
すなわち本考案は、
１．天井埋め込み型照明器具本体装置であって、椀状の傘部材（２）と、該傘部材（２）の側方に取り付けることのできるランプソケット収納枠部材（３）とを含み、該ランプソケット収納枠部材（３）は、該部材の本体部分（３ａ）と該本体部分（３ａ）の頂壁（３ｔ）から該傘部材（２）の底部（２ａ）に沿ってその中央部へと伸びる延長部（３ｂ）を有し、該延長部（３ｂ）の先端の少なくとも一部と係合する係合手段（５）が該傘部材（２）の底部（２ｂ）に備えられているとともに、該係合手段（５）で係合したとき該先端と該本体部分（３ａ）との間において該延長部（３ｂ）と該傘部材（２）の底部（２ａ）とを共通に貫通する孔（６）が該延長部（３ｂ）及び該底部に備えられており、該傘部材（２）は該ランプソケット収納枠部材（３）の本体部分の前部を受け入れる開口（１２）を備えており、該ランプソケット収納枠部材（３）は、ランプソケット（２２）を固定するための固定板（２５）をその内部に備え、該固定板（２５）は、該ランプソケット収納枠部材（３）の頂壁（３ｔ）の内面に接する基部（２６）と該基部（２６）から立ち上がったランプソケット固定部（２７）とを有し、該基部（２６）は貫通孔（３１）を備え、該ランプソケット収納枠部材（３）は、該固定板（２５）の基部（２６）と接する頂壁（３ｔ）の内面に該固定板（２５）の基部（２６）を該傘部材（２）の中心からの距離を異にする複数の位置にネジ止めできるよう、それら各位置に該基部（２６）があるときに該基部（２６）の貫通孔（３１）と一致する対応した貫通孔（８）を備えており、そして該ランプソケット固定板（２５）の固定部（２７）は、ランプソケットの固定用ネジ穴に対応する貫通孔（３３）を有していることを特徴とする装置、
２．該頂壁（３ｔ）と該基部（２６）とが、対応する係合手段をそれぞれ備えており、該頂壁（３ｔ）側の係合手段が、該複数の位置の各々に該固定板（２５）が位置するときに該固定板（２５）の基部（２６）に存する対応する係合手段と係合するように複数配置されていることを特徴とする、上記１の装置、
３．該固定板（２５）の該固定部（２７）が、該傘部材（２）の中心から遠ざかる方向に傾斜して該基部（２７）から立ち上がっており、該固定部（２７）と該基部（２６）とのなす角が７０〜８５°である、上記１又は２の装置、及び
４．該基部（２６）と該頂壁（３ｔ）との係合手段が、一方の突起と他方の陥凹又は孔とから構成されているものである、上記１ないし３の何れかの装置
を提供するものである。
【０００６】
【作用】
上記の各構成になる本考案の天井埋め込み型照明器具本体装置は、同一の構造を以て複数の形状・寸法規格の照明ランプ及びそれら用のランプソケットに適合させることができ、従って、それら複数の照明ランプのために共通の照明器具本体装置として使用することができる。
【０００７】
【考案の実施の形態】
本考案において、椀状の傘部材は、その内側に照明ランプを配することのできる空間を有するものであり、より好ましくは、照明ランプとこれを背後から取り囲む椀状の反射板をも内側に配置することのできる空間を有するものである。そのような反射板は、適宜の形状でよく、傘部材の適宜の箇所にボルトその他の適宜な固定手段で固定すればよい。またそのような、反射板は、ランプソケット収納枠部材の本体部分を受け入れるために傘部材に設けられている開口に一致した側方の開口を有する。この開口は、ランプソケットにランプの根本部分を螺着する際にランプの根本部分を通すため、又は、小型のランプの場合には、ランプソケットの前部をも受け入れて反射板内に臨ましめるために用いられる。
【０００８】
本考案において、天井への照明器具本体装置の取り付けは、通常の方法で行えばよく、例えば、傘部材の側面に一対のＴ字型等の切り欠きを設け、これに、天井埋め込み形照明器具に用いられる通常の固定具の一端を取りつけ他端を天井の裏面に当接させることによって行える。
【０００９】
ランプソケット収納枠部材３の延長部３ｂの先端と傘部材２の底部２ａとの係合手段としては、例えば、延長部３ｂの先端に設けたつめを、底部２ａに設けたスリットに通して底部２ａの下面に這わせるか、或いは、延長部３ｂの先端に付近に設けたスリットに、底部２ａから立ち上げたつめを通して延長部２ｂの上面に這わせる等、延長部３ｂと底部２ａとが上下に離れることを阻止する公知の適宜な係合手段を用いればよい。
【００１０】
固定板２５の基部２６と頂壁３ｔとの間の係合手段としては、例えば、基部２６に設けられた上方への突起と頂壁３ｔに設けられた孔との組み合わせ、又は、頂壁３ｔから下方への突起と基部２６に設けあれた孔との組み合わせその他、種々の公知の係合手段を適宜採用すればよい。
【００１１】
また、傘部材が椀状で、ランプソケット収納枠部材が傘部材の側方に配置されているため、天井の化粧板に明けた傘部材嵌め込み用の孔を通して装置を取り付けるに際して、孔にランプソケット収納枠部材から先に入れて、傘部材装置を水平方向へと回転しつつ挿入して所定位置へと配置することができ、化粧板と天井面との間の上下の余裕が、従来のものに比して、少なくて済む（下記の実施例では、８０ｍｍ）。
【００１２】
【実施例】
以下、典型的な実施例を参照して本考案を更に具体的に説明するが、本考案が該実施例に限定されることは意図しない。
【００１３】
図１は、本考案の照明器具本体装置１の上方からの斜視図である。該装置は、傘部材２とランプソケット収納枠部材３とから構成されており、各々はアルミ板より成形された単一部材である。本実施例では傘部材２は、円形（直径約１００ｍｍ）の平面状の底部２ａと、該底部２ａの周囲から椀状に下がる側面２ｂ（最大直径１４４ｍｍ）及び、フランジ２ｃとを有する（フランジ２ｃと底部２ａとの距離７７ｍｍ）。ランプソケット収納枠部材３は、本体部分３ａと、本体部分３ａの頂壁３ｔが延びたものである延長部３ｂとを有しており、延長部３ｂは、傘部材２の底部２ａの外表面に接している。延長部３ｂの先端には、傘部材２との係合手段である突出したつめ４（図では隠れている）が、本実施例では２つ備えられており、傘部材２の底部２ａにあるスリット５を通って底部２ａの内面側に移行し、更にこの内面に沿って延びることによって、底部２ａと係合している（この状態で、傘部材２の底部２ａの中心からランプソケット収納枠部材３の後端までは１２４ｍｍ。）。延長部３ｂと傘部材２とは、更に、両者を共通に貫通する孔６を有しており、両者は、該孔６にボルトを通して固定される。従って、傘部材２とランプソケット収納枠部材３との間の固定に要する部品は、一箇所の孔６にねじ込まれるボルトのみである。
【００１４】
ランプソケット収納枠部材３の本体部分３ａの頂壁３ｔには、３個一組で配列された複数の孔８が設けられており、これらは、後述の固定板の取り付けに用いられる。ランプソケット収納枠部材３は、本体部分３ａの頂壁３ｔから垂直に折れ曲がって本体部分の側面を構成している側壁３ｃを備えている。本体部分３ａの頂壁３ｔは一部に側方への張り出し部３ｄを有するが、これは、アルミニウム板からのランプソケット収納枠部材の作製において、板側壁３ｃを頂壁３ｔに対して折り曲げる際に、予め該張り出し部３ｄの輪郭に沿った形に設けられていたスリットのために、折り曲げられずに残った部分によって構成されている（９は、これによって側壁３ｃに生じた窓である）。ランプソケット収納枠部材３の本体部分３ａの前部は、傘部材２の内部に挿入されており、傘部材２には、ランプソケット収納枠部材３の本体部分３ａの前部を挿入できる開口が設けられている。傘部材２にはまた、照明器具本体装置を天井の化粧板の上側面（天井裏側の面）に取り付けるときに使用する留め金具を通すための切り欠き１０が、両側にそれぞれ設けられている。
【００１５】
図２は、ランプソケット収納枠部材３の上方からの斜視図であり、図１では隠れていた２個のつめが４で示されている。３ｅは、側壁３ｃの前縁であり、ランプソケット収納枠部材３を傘部材２に取り付けたとき傘部材２の内部に収容される部分である。３ｆ及び３ｇは、プレスにより成形された帯状隆起部であり、ランプソケット収納枠部材３の力学強度を補強する働きをする。
【００１６】
図３は、傘部材２にランプソケット収納枠部材を取り付けた状態を示す上面図である（但し、孔６にはめ込まれたボルトは示さず。）。図において、１２は、傘部材２に設けられた開口の縁を示す。
【００１７】
図４は、図３に示した照明器具本体装置１の後方（図面右側）から見た側面図を示す。図において、傘部材２に設けられた開口部の縁１２は、後方から見たときほぼ長方形の輪郭を有し、その中にランプソケット収納枠部材３の本体部分３ａの前縁３ｅを含む前部が挿入されている。３ｈは、ランプソケット収納枠部材３の本体部分３ａの後壁であり、ランプソケット収納枠部材３の本体部分３ａの頂壁３ｔをなすアルミ板が垂直に折れ曲がって形成されたものである。図において、左側の側壁３ｃ上には、屋内電気配線からの電力を受けとる電源ユニット１４がとりつけられている。破線で示された１６は、傘部材２内にボルト１７を介して取り付けられた反射板であり、１８は、反射板１６の下方に設けられたフランジによって支えられている環状の化粧枠である。
【００１８】
図５は、照明器具本体装置１の側方からの概要図であり、市販のランプＬ１を取り付けた状態で示してある。２２は、ランプＬ１に対応した市販のランプソケットであって、固定板２５にボルト（示さず）で止められている。固定版２５は、ランプソケット収納枠部材３の頂壁３ｔに接している基部２６と、基部２６から（下方へ）立ち上がったランプソケット固定部２７とからなっている。ランプソケット２２の底面には、２個の端子孔及び２個のネジ孔が設けられており、固定板２５のランプソケット固定部におけるこれらに対応する位置には、それぞれ対応する開口３５及びボルト孔３３が設けられている。従って、ランプソケット２２は、これらのボルト孔を通してボルトにより固定され、且つ、端子孔に電源ユニット１４からの電源端子を接続することができる。固定板２５の基部２６と固定部２７とは、この実施例では約８０°の角度をなしている。
【００１９】
図６は、ランプソケット収納枠部材３に取り付ける前後の状態の固定板２５を示す斜視図である。図において、ランプソケット収納枠部材３は、その内側に取り付けた固定板２５の配置の説明のために一部を切欠いて示されている。固定板２５は、その基部２６に、中心から離れて配置された、概略円錐状に上方へ突出した１対の突起３０を有する。更に基部２６には、これら１対の突起３０の間に孔３１が設けられている。これら１対の突起及びそれらの間の孔３１の配置及び寸法は、ランプソケット収納枠部材３の本体部分３ａの頂壁３ｔの内側に固定板２５の基部２６を下方から当接させたときに、該頂壁３ｔに３個一組で配列された複数の孔８の何れの組にも重ね合わせることができるように設定されている。従って、何れかの組の３個の孔８と重ね合わせたとき、これら１対の突起３０は２個の孔に嵌合する。また、孔３１は、３個の孔８のうち中間のものと重なって、ランプソケット収納枠部材３の頂壁３ｔと固定板２５の基部２６とを貫通する孔を形成し、この貫通孔は、該頂壁３ｔと固定板２５の基部２６とを固定するためにボルトを通すのに用いられる。ボルトで両者を固定したとき、２個の突起３０と２個の孔８との嵌合は、ボルト周りの固定板２５の回転を阻止する。このような構造とすることで、固定板２５は、ただ一箇所をボルトで固定するだけで確実に固定されることができる。また、３個一組の孔８は、複数列設けられており、固定板２５の取り付けに際して、これらの列のうち、適切な位置にあるものを任意に選ぶことができる。位置の選択は、固定板２５に取り付けられるランプ（及びランプソケット）のサイズに応じて行われる。すなわち、取り付けられるランプが傘部材２の中央付近に位置するように、小型のランプ（及びランプソケット）の取り付けには、前方すなわち傘部材２寄りの列を、大型のランプ（及びランプソケット）の取り付けには、後方寄りの列を、それぞれランプ（及びランプソケット）のサイズに応じて適宜選択することができる。
【００２０】
図７は、種々のサイズ及び形状のランプ（及びランプソケット）を取り付けたときの、固定板２５及びランプ（及びランプソケット）の位置関係を示す側方からの概要図である。図においては、球状の３種のランプ及び管状の２種のランプの計５種のランプが破線で示されている。これらのランプのサイズに応じて、ランプソケット２２を固定する固定板２５の位置は、ランプがほぼ傘部材２の（及び反射板１６）の中央に位置することになるよう、３個一組の複数の孔８のうち適当な組を選択することによって、変更されている。
【００２１】
【考案の効果】
本考案は、種々のサイズ及び形状のランプの取り付けに、共通に使用することのできる、共用の天井埋め込み型照明器具本体装置を提供する。
【図面の簡単な説明】
【図１】照明器具本体装置１の上方からの斜視図
【図２】ランプソケット収納枠部材３の上方からの斜視図
【図３】傘部材２にランプソケット収納枠部材を取り付けた状態を示す上面図
【図４】照明器具本体装置の後方側面図
【図５】照明器具本体装置の側方からの概要図
【図６】ランプソケット収納枠部材に取り付ける前後の状態の固定板を示す斜視図
【図７】種々のサイズ及び形状のランプを取り付けたときの、固定板及びランプの位置関係を示す側方からの概要図
【符号の説明】
１＝照明器具本体装置、２＝傘部材、２ａ＝底部、２ｂ＝側面、２ｃ＝フランジ、３＝ランプソケット収納枠部材、３ａ＝本体部分、３ｂ＝延長部、３ｃ＝側壁、３ｄ＝張り出し部、３ｅ＝前縁、３ｆ＝帯状隆起部、３ｇ＝帯状隆起部、３ｈ＝後壁、３ｔ＝頂壁、４＝つめ、５＝スリット、６＝孔、８＝孔、１０＝切り欠き、１２＝開口の縁、１４＝電源ユニット、１６＝反射板、１７＝ボルト、１８＝化粧枠、２２＝ランプソケット、２５＝固定板、２６＝基部、２７＝固定部、３０＝突起、３１＝孔、３３＝ボルト孔、３５＝開口、Ｌ１＝ランプ、
【図１】
0003098590.tif 000003
【図２】
0003098590.tif 000004
【図３】
0003098590.tif 000005
【図４】
0003098590.tif 000006
【図５】
0003098590.tif 000007
【図６】
0003098590.tif 000008
【図７】
0003098590.tif 000009